(57)【要約】【課題】広告を付けても広告媒体としての価値が減殺され難い無地はがきなどを提供する。【解決手段】広告が付いた無地はがきであって、前記広告が印刷された広告印刷面と、前記広告印刷面を２つ折りにして第１接着面と第２接着面とに分ける折分部位と、前記第１接着面の裏に形成された宛名面と、前記第２接着面の裏に形成された無地面と、を備え、前記第１接着面と前記第２接着面とが剥離可能に接着されて前記広告が隠蔽された、ことを特徴とする無地はがきである。【選択図】図１
2010058468.tif 000002
【特許請求の範囲】
【請求項１】
広告が付いた無地はがきであって、
前記広告が印刷された広告印刷面と、
前記広告印刷面を２つ折りにして第１接着面と第２接着面とに分ける折分部位と、
前記第１接着面の裏に形成された宛名面と、
前記第２接着面の裏に形成された無地面と、
を備え、
前記第１接着面と前記第２接着面とが剥離可能に接着されて前記広告が隠蔽された、
ことを特徴とする無地はがき。
【請求項２】
広告が付いた字入はがきであって、
前記広告が印刷された広告印刷面と、
前記広告印刷面を２つ折りにして第１接着面と第２接着面とに分ける折分部位と、
前記第１接着面の裏に形成された宛名面と、
前記第２接着面の裏に形成された字入面と、
を備え、
前記第１接着面と前記第２接着面とが剥離可能に接着されて前記広告が隠蔽された、
ことを特徴とする字入はがき。
【請求項３】
広告が付いた絵はがきであって、
前記広告が印刷された広告印刷面と、
前記広告印刷面を２つ折りにして第１接着面と第２接着面とに分ける折分部位と、
前記第１接着面の裏に形成された宛名面と、
前記第２接着面の裏に形成された絵面と、
を備え、
前記第１接着面と前記第２接着面とが剥離可能に接着されて前記広告が隠蔽された、
ことを特徴とする絵はがき。
【請求項４】
前記絵面に字が印刷されていることを特徴とする請求項３に記載の絵はがき。
【発明の詳細な説明】
【技術分野】
【０００１】
本発明は、はがきに関する。
【背景技術】
【０００２】
従来より、広告が印刷される代わりに郵送費用の一部が広告主により負担されるはがきが知られている（特許文献１、非特許文献１参照）。
【特許文献１】特開平７−１４０９２０号公報
【非特許文献１】″エコーはがき″、［ｏｎｌｉｎｅ］、郵便事業株式会社、［平成２０年９月５日検索］、インターネット＜ＵＲＬ：ｈｔｔｐ：／／ｗｗｗ．ｐｏｓｔ．ｊａｐａｎｐｏｓｔ．ｊｐ／ｋｉｔｔｅ＿ｈａｇａｋｉ／ｈａｇａｋｉ／ｅｃｏ／＞
【発明の開示】
【発明が解決しようとする課題】
【０００３】
しかしながら、上記従来のはがきには、広告を付けた途端に広告媒体としての価値が減殺されてしまうという問題があった。
【０００４】
この点、この価値の減殺は、広告の内容面で対処できるとも考えられるが、はがきが有する広告媒体としての価値を底上げするためには、広告の内容面のみに頼るのではなく、はがきの構造面からも、抜本的な検討が必要であるものと考えられる。
【０００５】
そこで、本発明は、広告を付けても広告媒体としての価値が減殺され難い無地はがき、字入はがき、及び絵はがきの提供を目的とする。
【課題を解決するための手段】
【０００６】
本発明によれば、上記課題は、次の手段により解決される。
【０００７】
第１の発明は、広告が付いた無地はがきであって、前記広告が印刷された広告印刷面と、前記広告印刷面を２つ折りにして第１接着面と第２接着面とに分ける折分部位と、前記第１接着面の裏に形成された宛名面と、前記第２接着面の裏に形成された無地面と、を備え、前記第１接着面と前記第２接着面とが剥離可能に接着されて前記広告が隠蔽された、ことを特徴とする無地はがきである。
【０００８】
「広告が付いた無地はがき」とは、広告が印刷される代わりに郵送費用の全部又は一部が広告主により負担される無地はがきをいう。「無地はがき」とは無地面を備えたはがきをいい、「無地面」とは無地である面をいう。
【０００９】
また、第２の発明は、広告が付いた字入はがきであって、前記広告が印刷された広告印刷面と、前記広告印刷面を２つ折りにして第１接着面と第２接着面とに分ける折分部位と、前記第１接着面の裏に形成された宛名面と、前記第２接着面の裏に形成された字入面と、を備え、前記第１接着面と前記第２接着面とが剥離可能に接着されて前記広告が隠蔽された、ことを特徴とする字入はがきである。
【００１０】
「広告が付いた字入はがき」とは、広告が印刷される代わりに郵送費用の全部又は一部が広告主により負担される字入はがきをいう。「字入はがき」とは字入面を備えたはがきをいい、「字入面」とは字が印刷された面をいう。
【００１１】
第３の発明は、広告が付いた絵はがきであって、前記広告が印刷された広告印刷面と、前記広告印刷面を２つ折りにして第１接着面と第２接着面とに分ける折分部位と、前記第１接着面の裏に形成された宛名面と、前記第２接着面の裏に形成された絵面と、を備え、前記第１接着面と前記第２接着面とが剥離可能に接着されて前記広告が隠蔽された、ことを特徴とする絵はがきである。
【００１２】
「広告が付いた絵はがき」とは、広告が印刷される代わりに郵送費用の全部又は一部が広告主により負担される絵はがきをいう。「絵はがき」とは絵面を備えたはがきをいい、「絵面」とは写真及び／又は挿絵が印刷された面をいう。
【００１３】
第４の発明は、前記絵面に字が印刷されていることを特徴とする第３の発明に係る絵はがきである。
【発明の効果】
【００１４】
本発明によれば、従来、目立つ箇所に印刷されて見ることを強制されていた広告が外部から隠蔽され、受取人は、広告を見るか否かを自ら判断できるようになる。したがって、本発明によれば、受取人による広告の初見が、必ず、受取人の意思に基づくものとなる。よって、本発明によれば、広告を付けても広告媒体としての価値が減殺され難い無地はがき、字入はがき、及び絵はがきを提供できるようになる。
【発明を実施するための最良の形態】
【００１５】
以下に、添付した図面を参照しつつ、本発明を実施するための最良の形態を詳細に説明する。
【００１６】
図１は、本発明の実施形態に係る無地はがきの正面図（ａ）及び背面図（ｂ）を模式的に示す図である。
【００１７】
図１に示すように、本発明の実施形態に係る無地はがき１には、宛名面２と無地面３とが形成されている。宛名面２は、受取人の氏名や住所などの受取人情報がプリンタ（インクジェットプリンタ、レーザプリンタなど）によって印刷可能に形成され、無地面３は、メッセージ、挿絵、写真などがプリンタ（インクジェットプリンタ、レーザプリンタなど）によって印刷可能に形成されている。宛名面２及び無地面３には、手書きでメッセージや絵などを書き込むこともできる。
【００１８】
なお、本実施形態のように、宛名面２及び無地面３は、プリンタ（インクジェットプリンタ、レーザプリンタなど）によって印刷可能に形成されていることが好ましいが、手書きでメッセージや絵などを書き込むことができれば、必ずしも、プリンタ（インクジェットプリンタ、レーザプリンタなど）によって印刷可能に形成されていなくてもよい。
【００１９】
宛名面２の下部位には、はがき情報が印刷されたはがき情報欄４が形成されている。はがき情報とは、はがき１を差出人に提供などする者に関する情報、または、この者に関する情報をインターネットなどで調べるための情報をいう。
【００２０】
はがき情報欄４によれば、受取人は、はがき情報によってはがき１を差出人に提供などする者の信頼性を知ることができるようになる。したがって、受取人は、差出人の信頼性のみならず、はがき１を差出人に提供などする者の信頼性に基づいても、隠蔽されている広告（まだ見ていない）の信頼性を判断できるようになり、広告を見るか否かをより一層自ら判断できるようになる。
【００２１】
なお、宛名面２や無地面３に印刷されたはがき情報は、本発明における「広告」から除かれる。また、宛名面２や無地面３に印刷されたくじに関する情報は、本発明における「広告」から除かれる。
【００２２】
図２は、本発明の実施形態に係る無地はがきにおける剥離の様子を模式的に示す図であり、（ａ）は剥離前を示す図、（ｂ）は剥離途中を示す図、（ｃ）は剥離後を示す図である。
【００２３】
図２に示すように、本発明の実施形態に係る無地はがきにおいては、宛名面２の裏に第１接着面７が形成され、無地面３の裏に第２接着面８が形成されている。
【００２４】
第１接着面７と第２接着面８とは、後述するように、広告印刷面６上の部位であり、広告が印刷された広告印刷面６が折分部位５で２つ折りにされて分けられることによって形成されている。
【００２５】
第１接着面７と第２接着面８とが剥離可能に接着されているため、広告印刷面６に印刷された広告（実施形態では、「信頼と実績」、「○○○○○株式会社」）は、隠蔽されており、受取人が第１接着面７と第２接着面８とを剥離しない限り露出されない。したがって、受取人は広告を見るか否かを自ら判断できるようになり、受取人による広告の初見は、必ず、受取人の意思に基づくものとなる。
【００２６】
「接着」は、圧着であることが好ましい。圧着は、例えば、広告印刷面６に広告が印刷された後に第１接着面７と第２接着面８との間にフィルムなどを挟んで第１接着面７と第２接着面８とを熱で圧着する圧着、広告印刷面６に広告が印刷される前に接着剤を広告印刷面６に塗布して広告の印刷後に第１接着面７と第２接着面８とを加圧する圧着、広告印刷面６に広告が印刷された後に接着剤を広告印刷面６に塗布して第１接着面７と第２接着面８とを加圧する圧着などとすることができる。
【００２７】
図３は、本発明の実施形態に係る無地はがきの剥離後の状態を模式的に示す図であり、（ａ）は剥離前に正面及び背面をそれぞれ形成していた宛名面及び無地面を示す図であり、（ｂ）は剥離後に露出する広告印刷面を示す図である。
【００２８】
図３に示すように、宛名面２の裏に第１接着面７が形成され、無地面３の裏に第２接着面８が形成されるため、宛名面２は第１接着面７の裏に形成され、無地面３は第２接着面８の裏に形成されることとなる。
【００２９】
広告印刷面６には、広告が印刷されている。広告印刷面６は、折分部位５で２つ折りにされ、第１接着面７と第２接着面８とに分けられる。
【００３０】
上述したように、第１接着面７と第２接着面８とは、剥離可能に接着される。これにより、広告印刷面６（第１接着面７と第２接着面８とにより形成される面）に印刷された広告が隠蔽される。
【００３１】
本発明の実施形態によれば、従来、目立つ箇所に印刷されて見ることを強制されていた広告が外部から隠蔽され、受取人は、広告を見るか否かを自ら判断できるようになる。したがって、受取人による広告の初見は、必ず、受取人の意思に基づくものとなり、広告を付けても広告媒体としての価値が減殺され難い無地はがきを提供できるようになる。
【００３２】
広告は、その一部が隠蔽されることとしてもよいが、その全部が隠蔽されるとすることが好ましい。このようにすれば、受取人において、たとえ一部であっても、広告を見ることを強制されないからである。
【００３３】
本実施形態では、宛名面２の面積が無地面３の面積よりも小さくなるように、宛名面２と無地面３とが形成されており、この場合、第２接着面８の一部が露出される。このようにすれば、無地はがき１が剥離可能であることを受取人に知らせることができる。
【００３４】
このようにして第２接着面８の露出した部位は、実施形態のように無地とすることもできるし、広告の存在を示す情報が印刷されたものとすることができる。このようにして広告の存在を示す情報を印刷しておけば、受取人にて、広告の存在を知ることができ、広告の存在を知らずして無地はがき１において剥離を行ってしまい、自らの意思に基づかずに広告を見てしまうことを防止することができる。
【００３５】
本発明においては、宛名面２の面積が無地面３の面積よりも大きくなるように、宛名面２と無地面３とを形成することもでき、この場合は、第１接着面７の露出した部位を上記第２接着面８の露出した部位と同様に構成することができる。
【００３６】
なお、本発明においては、宛名面２の面積と無地面３の面積とが等しくなるように、宛名面２と無地面３とを形成することもできる。
【００３７】
上記実施形態では、無地面３を備えた無地はがき１について説明したが、本発明においては、無地面３を字入面や絵面とすることによって、字入はがきや絵はがきを提供することも可能である。この場合においても、従来、目立つ箇所に印刷されて見ることを強制されていた広告が外部から隠蔽され、受取人は、広告を見るか否かを自ら判断できるようになり、受取人による広告の初見が、必ず、受取人の意思に基づくものとなる。よって、広告を付けても広告媒体としての価値が減殺され難い字入はがきや絵はがきを提供できるようになる。
【００３８】
以上、本発明の実施形態について説明したが、上記説明は、本発明の一例に関するものである。したがって、本発明は、上記説明によって何ら限定されるものではない。
【図面の簡単な説明】
【００３９】
【図１】本発明の実施形態に係る無地はがきの正面図（ａ）及び背面図（ｂ）を模式的に示す図である。
【図２】本発明の実施形態に係る無地はがきにおける剥離の様子を模式的に示す図であり、（ａ）は剥離前を示す図、（ｂ）は剥離途中を示す図、（ｃ）は剥離後を示す図である。
【図３】本発明の実施形態に係る無地はがきの剥離後の状態を模式的に示す図であり、（ａ）は剥離前に正面及び背面をそれぞれ形成していた宛名面及び無地面を示す図であり、（ｂ）は剥離後に露出する広告印刷面を示す図である。
【符号の説明】
【００４０】
１    無地はがき
２    宛名面
３    無地面
４    はがき情報印刷欄
５    折分部位
６    広告印刷面
７    第１接着面
８    第２接着面
【図１】
2010058468.tif 000003
【図２】
2010058468.tif 000004
【図３】
2010058468.tif 000005